(57)【要約】【課題】受け皿に貯留された遊技球を収容ケース内に均等に振り分ける。【解決手段】パチンコ機１０では、操作つまみ４０をスライド操作して蓋体５６を開き位置へ移動させると、球抜き孔３６が開放されるとともに、歯車６２と伝達ギア８２とが歯合する。そして、この状態で操作つまみ４０を回転操作すると、初期位置と第１位置と第２位置との間でスライド板６６が移動する。初期位置では、球抜き孔３６の真下に開口７０の中央領域７０ａが配置され、遊技球が球抜き孔３６の真下へ排出される。第１位置では、第１振り分け板７２が球抜き孔３６の下方で右側へ向けて傾斜した状態で配置され、遊技球が球抜き孔３６の右下方へ排出される。第２位置では、第２振り分け板７４が、球抜き孔３６の下方で左側へ向けて傾斜した状態で配置され、遊技球が球抜き孔３６の左下方へ排出される。【選択図】図４
2010136877.tif 000002
【特許請求の範囲】
【請求項１】
パチンコ機本体から払い出された遊技球を貯留する受け皿の底部に球抜き孔が形成されたパチンコ機において、
球抜き孔を開放する開き位置と、球抜き孔を塞ぐ閉じ位置との間で水平方向にスライド自在に設けられた開閉部材と、
球抜き孔を開放する開口、球抜き孔から落下する遊技球の落下方向を所定の第１方向へ向けて変化させる第１振り分け部材、球抜き孔から落下する遊技球の落下方向を第１方向とは反対の第２方向へ向けて変化させる第２振り分け部材を有し、第１振り分け部材と第２振り分け部材とが開口を挟んで配置されるとともに、球抜き孔の下方に開口が配置される初期位置と、球抜き孔の下方に第１振り分け部材が配置される第１位置と、球抜き孔の下方に第２振り分け部材が配置される第２位置との間でスライド自在に設けられた移動部材と、
開閉部材のスライド方向に沿ってスライド自在に設けられ、スライド移動に伴って開閉部材を移動させるとともに、スライド方向とは垂直な回転軸を中心に、第１方向と第１方向とは反対の第２方向へ回動自在に設けられた操作部材と、
開閉部材を開き位置へ移動させた際に操作部材と移動部材とを連結し、連結された状態で操作部材が第１方向へ回動された際に移動部材を第１位置へ移動させ、連結された状態で操作部材が第２方向へ回動された際に移動部材を第２位置へ移動させる連結機構とを備えたことを特徴とするパチンコ機。
【発明の詳細な説明】
【技術分野】
【０００１】
本発明は、パチンコ店などの遊技場で用いられるパチンコ機に関するものである。
【背景技術】
【０００２】
パチンコ機の前面には、パチンコ機本体から払い出された遊技球を貯留するための受け皿が設けられている。受け皿の底部には、スライド式の蓋によって開閉される球抜き孔が設けられており、受け皿が満タンとなった場合は、受け皿の下方にいわゆる「ドル箱（登録商標）」と呼ばれる収容ケースをセットして、球抜き孔を開放することで、受け皿に貯留された遊技球を収容ケースに移すことができる。
【０００３】
しかし、収容ケースに移される遊技球は収容ケースのうち球抜き孔の下方部分に高く積もるため、遊技球を収容ケースに移す際には遊技者が手で遊技球を平らに均す必要があり面倒であった。このため、下記特許文献１に記載されているように、モータなどの駆動手段により球抜き孔を移動させるようにしたものもある。また、下記特許文献２に記載されているように、球抜き孔を塞ぐ水平な位置と球抜き孔を開放する垂直な位置との間で、蓋を回動自在に設け、蓋の角度を遊技者が調節できるようにしたものもある。これらによれば、収容ケース内に均等に遊技球を振り分けることができ、遊技者の負担を軽減できる。
【特許文献１】特開平１０−１７９８７４
【特許文献２】特開２００４−０４９７２９
【発明の開示】
【発明が解決しようとする課題】
【０００４】
しかしながら、上記特許文献１記載の装置では、球抜き孔を移動させるための駆動手段を設ける必要がありコストがかかってしまうといった問題があった。また、上記特許文献２記載の装置では、受け皿に貯留された遊技球の重さで球抜き孔が開放されてしまい、遊技者が意図しないタイミングで受け皿から遊技球が落下してしまうといった問題があった。
【０００５】
本発明は、上記背景を鑑みてなされたものであり、コストをかけずに、受け皿に貯留された遊技球を収容ケース内に均等に振り分けることができるパチンコ機を提供することを目的としている。また、本発明は、受け皿に貯留された遊技球を収容ケース内に均等に振り分けることができ、かつ、受け皿に貯留された遊技球が遊技者の意図しないタイミングで落下することのないパチンコ機を提供することを目的としている。
【課題を解決するための手段】
【０００６】
上記目的を達成するために、本発明の遊技機は、パチンコ機本体から払い出された遊技球を貯留する受け皿の底部に球抜き孔が形成されたパチンコ機において、球抜き孔を開放する開き位置と、球抜き孔を塞ぐ閉じ位置との間で水平方向にスライド自在に設けられた開閉部材と、球抜き孔を開放する開口、球抜き孔から落下する遊技球の落下方向を所定の第１方向へ向けて変化させる第１振り分け部材、球抜き孔から落下する遊技球の落下方向を第１方向とは反対の第２方向へ向けて変化させる第２振り分け部材を有し、第１振り分け部材と第２振り分け部材とが開口を挟んで配置されるとともに、球抜き孔の下方に開口が配置される初期位置と、球抜き孔の下方に第１振り分け部材が配置される第１位置と、球抜き孔の下方に第２振り分け部材が配置される第２位置との間でスライド自在に設けられた移動部材と、開閉部材のスライド方向に沿ってスライド自在に設けられ、スライド移動に伴って開閉部材を移動させるとともに、スライド方向とは垂直な回転軸を中心に、第１方向と第１方向とは反対の第２方向へ回動自在に設けられた操作部材と、開閉部材を開き位置へ移動させた際に操作部材と移動部材とを連結し、連結された状態で操作部材が第１方向へ回動された際に移動部材を第１位置へ移動させ、連結された状態で操作部材が第２方向へ回動された際に移動部材を第２位置へ移動させる連結機構とを備えたことを特徴としている。
【発明の効果】
【０００７】
本発明によれば、遊技者が操作部材の位置を変更することによって、受け皿に貯留された遊技球を収容ケース内に均等に振り分けることができるので、モータにより球抜き孔を移動させる場合と比較してコストを抑えることができる。また、本発明によれば、水平方向にスライド自在の開閉部材によって、球抜き孔を塞ぐようにしたので、受け皿に貯留された遊技球が遊技者の意図しないタイミングで落下することがない。
【発明を実施するための最良の形態】
【０００８】
図１に示すように、パチンコ機１０の前面には、ガラス窓１２、発射ハンドル１４が設けられている。ガラス窓１２の背後には遊技盤１６が配置されている。遊技盤１６は、略円形の遊技領域１８を備え、ガラス窓１２を介して遊技領域１８を視認できるようになっている。遊技領域１８には、各種演出画像の表示や図柄の変動表示を行う液晶ディスプレイ２０、始動入賞口２２や大入賞口２４などの入賞口、大入賞口２４を開閉するアタッカ２６などが設けられている。
【０００９】
パチンコ機１０では、発射ハンドル１４が回動されると、これに応じて遊技領域１８に遊技球が打ち出される。打ち出された遊技球が始動入賞口２２に入賞すると、所定個数の遊技球が賞球として払い出される。また、遊技球が始動入賞口２２に入賞すると、当たり抽選が実行されて、当たりまたはハズレが決定されるとともに、液晶ディスプレイ２０において図柄の変動表示が開始される。そして、変動表示後に停止表示する図柄の組合せによって当たり抽選の結果が報知される。
【００１０】
当たり抽選の結果、当たりとなるとパチンコ機１０は大当たりモードへと移行する。大当たりモードではアタッカ２６が開閉されて大入賞口２４へと遊技球を入賞させることが可能となる。大入賞口２４は、遊技球が入賞した際に払い出される賞球の個数が始動入賞口２２よりも多く設定されている。これにより、大当たりモードでは大量の賞球を得ることができる。
【００１１】
また、パチンコ機１０の前面には、払い出された賞球を受けるための受け皿３０が設けられている。受け皿３０は、上皿３２と、下皿（受け皿）３４とから構成される。上皿３２と下皿３４は、上下に並べて配置されている。上皿３２には、払い出し口３２ａと、排出口３２ｂとが設けられており、賞球は払い出し口３２ａから上皿３２に払い出される。また、上皿３２が満タンとなると、上皿３２に貯留された遊技球が排出口３２ｂから排出される。排出口３２ｂは、図示しない連絡通路により下皿３４と連結されている。そして、排出口３２ｂから排出された遊技球は、連絡通路を介して下皿３４に投入される。
【００１２】
図２に示すように、下皿３４の底部には、下皿３４に貯留された遊技球を排出するための円形の球抜き孔３６が形成されている。また、下皿３４の前面には、水平方向（左右方向）に長い開口３８が形成されており、この開口３８から、球抜き孔３６を開閉するための操作つまみ（操作部材）４０が露呈されている。そして、パチンコ機１０では、下皿３４が満タンとなった際や遊技を終了する際には、球抜き孔３６の下方に収容ケース４１（図１参照）をセットした後、操作つまみ４０を操作して球抜き孔３６を開放することで、下皿３４に貯留された遊技球を収容ケース４１に移すことができる。
【００１３】
しかし、下皿３４に貯留された遊技球が球抜き孔３６の真下にのみ排出されると、下皿３４から排出された遊技球が収容ケース４１のうち球抜き孔３６の真下にのみ積もってしまい、遊技者が手で遊技球を平らに均す必要があり面倒である。このため、パチンコ機１０では、操作つまみ４０を操作することで、下皿３４に貯留された遊技球を球抜き孔３６の真下に排出するか、球抜き孔３６の斜め下方に排出するかを選択できるようにしている。
【００１４】
以下、操作つまみ４０を操作することで遊技球の排出方向を選択できる下皿３４の具体的な構成について説明する。図３に示すように、下皿３４は、第１ベース板５０と、第２ベース板５２とを備え、これらが球抜き孔３６の下方に重ねて配置されている。
【００１５】
第１ベース板５０には、開口５４が設けられ、この開口５４の内側に蓋体（開閉部材）５６が収められている。蓋体５６は、本体部５８と、支持軸６０とから構成される。本体部５８は、１辺の長さが球抜き孔３６の直径よりも僅かに長い、矩形の板状に形成されている。支持軸６０は、前後方向に長く形成され、軸回りに回転自在となるように、本体部５８の左側部に取り付けられている。支持軸６０の前端部には、前述した操作つまみ４０が取り付けられており、支持軸６０の後端部には、歯車６２が取り付けられている。そして、操作つまみ４０の回転操作に連動して歯車６２が回転するようになっている。
【００１６】
また、開口５４は、蓋体５６よりも左右方向の長さが長く形成されており、蓋体５６は、開口５４の内側にスライド自在に保持されている。そして、蓋体５６は、操作つまみ４０のスライド操作に連動し、本体部５８を球抜き孔３６の真下に位置させる閉じ位置（図４（Ａ）参照）と、球抜き孔３６から落下する遊技球の落下経路から本体部５８を退避させる開き位置（図４（Ｂ）〜同図（Ｄ）参照）との間で移動する。
【００１７】
第２ベース板５２には、窪み６４が形成されており、この窪み６４の内部にスライド板（移動部材）６６が配置されている。窪み６４には、貫通孔６８が形成されている。貫通孔６８は、一辺の長さが球抜き孔３６の直径より僅かに長い矩形に形成されており、球抜き孔３６の真下に位置するように窪み６４の略中央部に設けられている。また、貫通孔６８の左側壁の上部は切り欠かれており、右上方を向くように傾斜された傾斜面６８ａが形成されている。同様に、貫通孔６８の右側壁の上部は切り欠かれており、左上方を向くように傾斜された傾斜面６８ｂが形成されている（図４参照）。
【００１８】
スライド板６６には、左右に長い矩形の開口７０が形成されている。開口７０は、中央領域７０ａと、中央領域７０ａの左に位置する左領域７０ｂと、中央領域７０ａの右に位置する右領域７０ｃとを有しており、各領域７０ａ、７０ｂ、７０ｃは、それぞれ球抜き孔３６よりも一回り大きく形成されている。
【００１９】
左領域７０ｂには、第１振り分け板（第１振り分け部材）７２が配置されている。第１振り分け板７２は、左側の端部に、前後に長い回転軸７２ａが設けられている。そして、第１振り分け板７２は、この回転軸７２ａが左領域７０ｂの左側の端部に軸着されて、回転軸７２ａを中心に回動自在に保持されている。同様に、右領域７０ｃには、第２振り分け板（第２振り分け部材）７４が配置されている。第２振り分け板７４は、右側の端部に、前後に長い回転軸７４ａが設けられている。そして、第２振り分け板７４は、この回転軸７４ａが右領域７０ｃの右側の端部に軸着されて、回転軸７４ａを中心に回動自在に保持されている。
【００２０】
また、窪み６４は、スライド板６６よりも左右方向の長さが長く形成されており、スライド板６６は、窪み６４の内側にスライド自在に保持されている。そして、スライド板６６は、開口７０の中央領域７０ａを球抜き孔３６の真下に位置させる初期位置（図４（Ａ）、同図（Ｂ）参照）と、開口７０の左領域７０ｂを球抜き孔３６の真下に位置させる第１位置（図４（Ｃ）参照）と、開口７０の右領域７０ｃを球抜き孔３６の真下に位置させる第２位置（図４（Ｄ）参照）との間で移動する。
【００２１】
さらに、スライド板６６には、歯列８０が形成され、第１ベース板５０には、伝達ギア８２が設けられている。歯列８０は、スライド板６６の上面の後端部に立設され、伝達ギア８２は、第１ベース板５０に回転自在に取り付けられており、これらは第１ベース板５０と第２ベース板５２とが重ね合わされた際に歯合する。また、伝達ギア８２は、歯車６２の右方に配置されており、蓋体５６が開き位置へ移動された際に、歯車６２と歯合する。これにより、蓋体５６を開き位置へ移動させて操作つまみ４０を回転させると、この回転力が歯車６２、伝達ギア８２を介してスライド板６６に伝達され（すなわち、歯車６２、伝達ギア８２が連結機構として機能し）、スライド板６６がスライド移動する
【００２２】
以下、上記構成による本発明の作用について図４をもとに説明する。パチンコ機１０では、操作つまみ４０をスライド操作することで、図４（Ａ）に示す閉じ位置と、同図（Ｂ）〜（Ｄ）に示す開き位置との間で蓋体５６を移動させることができる。蓋体５６を閉じ位置へ移動させると、球抜き孔３６が塞がれて、下皿３４に遊技球を貯留できる。他方、蓋体５６を開き位置へ移動させると、球抜き孔３６が開放されて、下皿３４から遊技球を排出することができる。
【００２３】
また、パチンコ機１０では、蓋体５６を開き位置へ移動させると、歯車６２と伝達ギア８２とが歯合する。そして、この状態で操作つまみ４０を回転操作することで、図４（Ｂ）に示す初期位置と、同図（Ｃ）に示す第１位置と、同図（Ｄ）に示す第２位置との間でスライド板６６を移動させることができる。
【００２４】
本実施形態では、操作つまみ４０を右方向（時計回り）に回転させると、歯車６２が右方向に回転し、これに伴って伝達ギア８２が左方向（反時計回り）に回転する。これにより、スライド板６６が右側へ（第１位置へ向けて）移動する。他方、操作つまみ４０を左方向に回転させると、歯車６２が右方向に回転し、これに伴って伝達ギア８２が右方向に回転する。これにより、スライド板６６が左側へ（第２位置へ向けて）移動する。
【００２５】
また、本実施形態では、操作つまみ４０の回転量に対して、スライド板６６の移動量が大きくなるように、歯車６２と伝達ギア８２のギア比が決定されている。すなわち、歯車６２の歯数が伝達ギア８２の歯数よりも多くされている。これにより、本実施形態では、操作つまみ４０を約１８０°回動させることで、スライド板６６が初期位置から第１または第２位置へと移動する。
【００２６】
そして、スライド板６６を初期位置へ移動させると、球抜き孔３６の真下に開口７０の中央領域７０ａが配置されるので、遊技球が球抜き孔３６の真下へ排出される。また、スライド板６６を第１位置へ移動させると、球抜き孔３６の真下に開口７０の左領域７０ｂが配置されるとともに、第１振り分け板７２が、傾斜面６８ａにより下方から支持されて球抜き孔３６の下方で右側へ向けて傾斜した状態となるまで自重により回動する。これにより、遊技球が球抜き孔３６の右下方へ排出される。さらに、スライド板６６を第２位置へ移動させると、球抜き孔３６の真下に開口７０の右領域７０ｃが配置されるとともに、第２振り分け板７４が、傾斜面６８ｂにより下方から支持されて球抜き孔３６の下方で左側へ向けて傾斜した状態となるまで自重により回動する。これにより、遊技球が球抜き孔３６の左下方へ排出される。
【００２７】
以上のように、パチンコ機１０では、操作つまみを操作することで、下皿から排出される遊技球の排出方向を変化させることができる。このため、下皿に貯留された遊技球を収容ケース内に均等に振り分けることができる。また、パチンコ機１０では、操作つまみを操作する操作力によってスライド板が移動して、遊技球の排出方向が変化する。このため、モータによりスライド板を移動させる場合と比較してコストを抑えることができる。さらに、パチンコ機１０では、水平方向にスライドする蓋体によって、球抜き孔を塞ぐようにしたため、下皿に貯留された遊技球の重さによって球抜き孔が開放され、遊技者の意図しないタイミングで下皿から遊技球が落下してしまうといったこともない。
【００２８】
なお、本発明は、操作つまみをスライド操作して蓋体を開き位置へ移動させた後、操作つまみを回転操作することで、スライド板がスライド移動して、球抜き孔から落下する遊技球の落下方向を調整できればよいので、細部の構成は上記実施形態に限定されるものではない。例えば、歯車と伝達ギアのギア比は自由に設定できる。ただし、操作つまみの回転量に対してスライド板の移動量が小さいと、遊技球の落下方向を調節する際に時間を要してしまうので、歯車の歯数が伝達ギアの歯数よりも多くなるように、これらの間のギア比を決定することが好ましい。こうすれば、少ない操作量で速やかに遊技球の落下方向を調節できる。
【００２９】
また、上記実施形態では、操作つまみの回転力が伝達ギアを介して間接的にスライド板に伝達される例で説明をしたが、本発明はこれに限定されるものではない。例えば、伝達ギアを廃止し、操作つまみの回転力を直接スライド板に伝達してもよい。この場合、蓋体を開き位置へ移動させた際に、歯車が直接スライド板の歯列と歯合するように構成すればよい。もちろん、伝達ギアを複数のギアから構成し、複数のギアを介して、操作つまみの回転力をスライド板に伝達してもよい。
【００３０】
さらに、上記実施形態では、スライド板が移動先で保持される例で説明をしたが、例えば、バネなどの付勢手段により、スライド板を初期位置へ向けて付勢してもよい。こうすれば、蓋体を閉じ位置へ移動させたときに、自動的にスライド板が初期位置へ戻るので便利である。もちろん、操作つまみを、所定の基準位置へ向けて付勢してもよい。
【００３１】
また、上記実施形態では、スライド板が第１位置へ移動された際に第１振り分け板を下方から支持する傾斜面６８ａ（図３、図４参照）と、スライド板が第２位置へ移動された際に第２振り分け板を下方から支持する傾斜面６８ｂ（図３、図４参照）とがともに平面である例で説明をしたが、各傾斜面を曲面としてもよい。この場合、例えば、左右方向の断面が、中央凸形状の穏やかな円弧状となるように各傾斜面を構成するといったことが考えられる。こうすれば、操作つまみの回動量に応じて第１、第２の各振り分け板の角度が穏やかに変化するようになるので、より細かく遊技球の落下方向を調節できる。
【００３２】
さらに、上記実施形態では、第１、第２の振り分け板を、スライド板に回動自在に取り付ける例で説明をしたが、本発明はこれに限定されるものではない。例えば、図５に示すように、第１振り分け板９０と、第２振り分け板９２とをスライド板９４に固定し、このスライド板９４を球抜き孔の下方で左右にスライドさせてもよい。なお、図５においては、上述した実施形態と同様の部材については同様の符号を付して説明を省略している。
【００３３】
また、上記実施形態では、受け皿が上皿と下皿とからなるパチンコ機に本発明を適用する例で説明をしたが、上皿と下皿が一体に形成されたパチンコ機に本発明を適用してもよい。
【図面の簡単な説明】
【００３４】
【図１】パチンコ機の外観を示す斜視図である。
【図２】下皿の外観を示す斜視図である。
【図３】下皿の分解図である。
【図４】下皿の断面図である。
【図５】スライド板の断面図である。
【符号の説明】
【００３５】
１０  パチンコ機
３４  下皿（受け皿）
３６  球抜き孔
４０  操作つまみ（操作部材）
５６  蓋体（開閉部材）
６２  歯車
６６、９４  スライド板（移動部材）
６８  貫通孔
６８ａ、６８ｂ  傾斜面
７０  開口
７０ａ  中央領域
７０ｂ  左領域
７０ｃ  右領域
７２、９０  第１振り分け板（第１振り分け部材）
７４、９２  第２振り分け板（第２振り分け部材）
８０  歯列
８２  伝達ギア
【図１】
2010136877.tif 000003
【図２】
2010136877.tif 000004
【図３】
2010136877.tif 000005
【図４】
2010136877.tif 000006
【図５】
2010136877.tif 000007